(57)【特許請求の範囲】
【請求項１】
上枠、下枠及び左右の縦枠を有する枠体と、
前記枠体内に開閉可能に設けられ、上框、下框及び左右の縦框を有する障子と、を備える建具であって、
前記枠体の下枠の上面に固定部材を介して設けられ、回転動力源からの回転を入力する入力回転軸を有し、前記入力回転軸が回転されることにより、前記障子が操作される操作部を備え、
前記入力回転軸の軸心は、見込方向へ水平に指向し、鉛直方向に対して傾いた位置関係を有している箱状部材に収納されたウォームギヤ機構に接続されている建具。
【請求項２】
前記枠体に設けられ、前記操作部に連結されて前記枠体に沿ってスライド移動する板状の連動バーと、
先端側が前記下框に支持されるとともに、基端側が前記枠体に設けられた支持部及び前記連動バーに回動可能に支持される開閉アームと、
前記操作部の前記入力回転軸の回転に連動してスライド移動して前記連動バーをスライド移動させる駆動板状部材と、を備え、
前記連動バーの上面に対して前記駆動板状部材の下面は、平行ではなく交差する位置関係を有する請求項１に記載の建具。
【発明の詳細な説明】
【技術分野】
【０００１】
本発明は、建具に関する。
【背景技術】
【０００２】
従来、建物の開口部に設けられる建具として、辷り出し式に障子を開閉する辷り出し窓が知られている。例えば横辷り出し窓では、リンク機構を介して障子の左右の両縦框が枠体に連結される。これにより、障子の上端が枠体に沿って上下に移動するとともに、障子の下端が屋外側に突出するように障子が回動することで、障子が開放される。即ち、障子の上下両端を開放することができるため、換気性に優れるうえ、障子の清掃が容易であるという利点を有する。
【０００３】
ここで、縦枠に設けられたリンク機構に連結され、操作者が障子の開閉を操作するための操作部を縦枠に設けた縦辷り出し窓が提案されている（例えば、特許文献１参照）。この縦辷り出し窓によれば、縦枠の一方に設けられた操作部を回転操作することで、操作部による駆動力がリンク機構に伝達され、障子が開放される。
【先行技術文献】
【特許文献】
【０００４】
【特許文献１】特開２００７−１００４４４号公報
【発明の概要】
【発明が解決しようとする課題】
【０００５】
しかしながら、特許文献１の縦辷り出し窓では、手動により回転操作される操作部のハンドルの軸心は、水平方向に指向しておらず、水平に対して斜めに傾斜する方向に指向していた。このため、窓を高所に設置した場合には、操作部の操作を容易にするために、ハンドルに代えて、チェーンを掛ける滑車を設ける構成とする必要があるが、この場合には、滑車の車輪（索輪）の回転軸心を水平に指向させるために、専用の操作部が必要になる。また、専用の操作部を設けない場合には、ユニバーサルジョイントなどを介して滑車を取り付ける必要があり、操作部にいろいろな付属物が必要となり、意匠性が低下したり、取付けスペースが大きくなったり、操作部の操作のための部品が高価になったりするなどの問題がある。
【０００６】
本発明は上記に鑑みてなされたものであり、その目的は、専用の操作部や付属物を用いずに建具に係るコストを抑え、水平に指向する索輪を有する滑車を容易に操作部に取り付けて使用することができる建具を提供することにある。
【課題を解決するための手段】
【０００７】
（１）上記目的を達成するため本発明は、上枠（例えば、後述の上枠１１）、下枠（例えば、後述の下枠１２）及び左右の縦枠（例えば、後述の縦枠１３，１４）を有する枠体と、前記枠体内に開閉可能に設けられ、上框（例えば、後述の上框２１）、下框（例えば、後述の下框２２）及び左右の縦框（例えば、後述の縦框２３，２４）を有する障子（例えば、後述の障子２）と、を備える建具（例えば、後述の横辷り出し窓１）であって、前記枠体に設けられ、回転動力源からの回転を入力する入力回転軸（例えば、後述の入力回転軸５１１）を有し、前記入力回転軸が回転されることにより、前記障子が操作される操作部（例えば、後述の操作部５）を備え、前記入力回転軸の軸心は、見込方向へ水平に指向している建具を提供する。
【０００８】
（２）（１）の発明において、前記枠体に設けられ、前記操作部に連結されて前記枠体に沿ってスライド移動する板状の連動バー（例えば、後述の連動バー６）と、先端側が前記下框に支持されるとともに、基端側が前記枠体に設けられた支持部（例えば、後述の支持部７１）及び前記連動バーに回動可能に支持される開閉アーム（例えば、後述の開閉アーム７０）と、前記操作部の前記入力回転軸の回転に連動してスライド移動して前記連動バーをスライド移動させる駆動板状部材（例えば、後述の駆動板状部材５３）と、を備え、前記連動バーの上面に対して前記駆動板状部材の下面は、平行ではなく交差する位置関係を有することが好ましい。
【発明の効果】
【０００９】
本発明によれば、専用の操作部や付属物を用いずに建具に係るコストを抑え、水平に指向する索輪を有する滑車を容易に操作部に取り付けて使用することができる建具を提供できる。
【図面の簡単な説明】
【００１０】
【図１】本発明の一実施形態に係る横辷り出し窓を屋外側から見た姿図である。
【図２】上記実施形態に係る横辷り出し窓を屋内側から見た姿図である。
【図３】上記実施形態に係る横辷り出し窓の縦断面図である。
【図４】上記実施形態に係る横辷り出し窓の横断面図である。
【図５】上記実施形態に係る横辷り出し窓の全閉状態を示す部分断面平面図である。
【図６】上記実施形態に係る横辷り出し窓の半開状態を示す部分断面平面図である。
【図７】上記実施形態に係る横辷り出し窓の全開状態を示す部分断面平面図である。
【発明を実施するための形態】
【００１１】
以下、本発明の一実施形態について、図面を参照して詳しく説明する。
なお、本明細書において、「見付方向」とは、建物の壁に形成された開口部に納められた窓におけるガラスの面方向を意味し、「見込方向」とは、上記ガラスの厚さ方向（即ち、奥行き方向）を意味する。
【００１２】
図１は、本発明の一実施形態に係る横辷り出し窓１を屋外側から見た姿図である。図２は、本実施形態に係る横辷り出し窓１を屋内側から見た姿図である。本実施形態の横辷り出し窓１は、図示しない建物の壁に形成された開口部に納められる。また、これら図１及び図２に示されるように横辷り出し窓１は、建物の開口部に取り付けられる枠体１０と、枠体１０に開閉可能に納められた障子２と、を備える。
【００１３】
枠体１０は、上枠１１と、下枠１２と、左右の縦枠１３，１４と、により矩形に枠組みされて形成される。本実施形態の建具としての横辷り出し窓１は、横幅方向（左右方向）の寸法が大きく設定された横長の窓であり、操作者の手の届く高さに設けられた開口部や、操作者の手が届かない高所に設けられた開口部に納められる。本実施形態では、横辷り出し窓１は、高所に設けられた開口部に収められる。
【００１４】
図３は、本実施形態に係る横辷り出し窓１の縦断面図である。図３は、後述する操作部が設けられた左右方向の一端側（右側）を他端側（左側）から見た縦断面図である。横辷り出し窓１は、アルミ等の金属と樹脂とからなる複合型の窓であり、断熱性に優れる。即ち、枠体１０及び障子２は、それぞれ、屋外側がアルミ等の金属で形成され、屋内側が樹脂で形成される。
【００１５】
障子２は、上框２１と、下框２２と、左右の縦框２３，２４と、により矩形に框組みされて形成された框体２０と、該框体２０内に嵌め込まれたガラス２００と、を備える。
【００１６】
ガラス２００は、屋内側の板ガラス２０１と、屋外側の板ガラス２０２と、これら２枚の板ガラスで挟持されたスペーサ２０３と、を備える複層ガラスである。この複層ガラスで構成されたガラス２００は、優れた断熱性を有する。
【００１７】
上枠１１は、屋外側に設けられたアルミ等の金属からなる金属上枠１１１と、その屋内側に設けられ且つ塩化ビニル樹脂等の樹脂からなる樹脂上枠１１２と、を含んで構成される。
金属上枠１１１は、屋外側の外側金属上枠１１１ａと、屋内側の内側金属上枠１１１ｂと、を有する。また、金属上枠１１１は、これら外側金属上枠１１１ａと内側金属上枠１１１ｂとを連結する樹脂製のブリッジ材１１１ｃを有する。
【００１８】
樹脂上枠１１２は、複数の断面矩形状の空気室１１３ａを形成する格子状部１１２ａと、格子状部１１２ａの上側に突出する複数の突出部１１２ｂと、格子状部１１２ａの下側に位置して下方へ向けて開口する溝１１２ｃを形成する凹状部１１２ｄと、を有する。溝１１２ｃには、網戸を設けない場合には、図示しない樹脂部材が嵌合される。網戸を設ける場合には、網戸の上框が溝１１２ｃに嵌合される。
【００１９】
樹脂上枠１１２は、凹状部１１２ｄの屋外側の下端に設けられたパッキン１１２ｅをさらに有する。このパッキン１１２ｅが後述する樹脂上框２１２に当接することで、樹脂上枠１１２の屋外側には、空気室１１３ｂが形成される。
また、金属上枠１１１と樹脂上枠１１２との間には、複数の突出部１１２ｂによって仕切られる複数の空気室１１３ｃが形成される。
【００２０】
上框２１は、屋外側に配置されたアルミ等の金属からなる金属上框２１１と、その屋内側に設けられ且つ塩化ビニル樹脂等の樹脂からなる樹脂上框２１２と、を含んで構成される。
金属上框２１１は、屋外側から立設する立設部２１１ａを有し、その先端の屋内側が金属上枠１１１の屋外側に設けられたパッキン１１１ｄに当接する。
樹脂上框２１２は、複数の断面矩形状の空気室２１３ａを形成する格子状部２１２ａを有する。格子状部２１２ａは、屋内側において上述のパッキン１１２ｅに当接する。
【００２１】
また、上框２１は、下向きに開口して形成される溝２１ａを有する。溝２１ａは、ガスケット１０ａを介してガラス２００の上端部を挟持する。
【００２２】
下枠１２及び下框２２は、それぞれ上枠１１及び上框２１に類似した構成を有するため、対応する構成については同様の規則性を持って符号を付し、その説明を省略する。従って以下では、下枠１２及び下框２２の構成のうち、上枠１１及び上框２１と相違する構成についてのみ説明する。
【００２３】
下枠１２の屋内側における左右方向の一端側には、障子２を開閉するために操作者が操作する操作部５が設けられる。この操作部５は、後述する障子２の開閉機構４の一部を構成する。
図１、図３に示されるように、操作部５は、チェーン式の操作部である。操作部５は、ハウジング５０と、滑車５１と、図示しないウォームギヤ機構と、を含んで構成される。操作部５は、操作者が滑車５１を回転させることで生じた回転方向の駆動力を、ウォームギヤ機構により直線方向の駆動力に変換する。変換された直線方向の駆動力は、後述する連動バー６に伝達される。
【００２４】
より具体的には、操作部５のハウジング５０は、図３に示すように、円筒状部５０１と、上側傾斜直方体箱状部５０２と、下側傾斜直方体箱状部５０３と、水平直方体箱状部５０４と、を有している。
【００２５】
円筒状部５０１は、滑車５１が接続される入力回転軸５１１の軸心と同軸的な位置関係を有する略円筒形状に形成されている。円筒状部５０１の一端部からは、滑車５１が接続される入力回転軸５１１が突出している。入力回転軸５１１には、滑車５１を接続可能であり、この場合には、滑車５１を操作する作業者が回転動力源になるが、滑車５１以外のもの、例えば、ハンドルや電動ユニット等の回転動力源等を入力回転軸５１１には、接続可能である。入力回転軸５１１は、これらの回転動力源からの回転を入力して回転するように構成されている。
【００２６】
滑車５１が接続される入力回転軸５１１の軸心方向は、見込方向に平行な位置関係を有している。従って、滑車５１が接続される入力回転軸５１１の軸心は、水平方向及び見込方向へ指向している。円筒状部５０１の他端部は、図４等に示すように、上側傾斜直方体箱状部５０２の上板の長手方向における中央部分に一体成形されて接続されている。上側傾斜直方体箱状部５０２は下面の全面が開口を構成する略直方体形状の箱状に形成されている。上側傾斜直方体箱状部５０２の上板の長手方向における両端部の近傍には、貫通孔が形成されており、貫通孔には、ボルト５１３が貫通して、上側傾斜直方体箱状部５０２が、下側傾斜直方体箱状部５０３と共に、金属製の固定部材５１７に固定されている。
【００２７】
下側傾斜直方体箱状部５０３は、上面の全面が開口を構成する略直方体形状の箱状に形成されている。下側傾斜直方体箱状部５０３には、下側傾斜直方体箱状部５０３の開口から上側傾斜直方体箱状部５０２の一部が挿入されて、下側傾斜直方体箱状部５０３の上面の開口を塞ぐように、上側傾斜直方体箱状部５０２の上板が設けられ、下側傾斜直方体箱状部５０３と共に金属製の固定部材５１７に固定されている。図示しないウォームギヤ機構は、上側傾斜直方体箱状部５０２と下側傾斜直方体箱状部５０３とにより構成される略直方体形状の箱状部材５０５の中に収納されている。上側傾斜直方体箱状部５０２と下側傾斜直方体箱状部５０３とにより構成される略直方体形状の箱状部材５０５の長手方向は、見付方向に一致する位置関係を有している。また、略直方体形状の箱状部材５０５は、図３に示すように、箱状部材５０５の側面５０５ａが鉛直方向に対して傾いた位置関係を有している。
【００２８】
下側傾斜直方体箱状部５０３の下部は、水平直方体箱状部５０４の上部に一体成形されて接続されている。この接続されている部分においては、下側傾斜直方体箱状部５０３の下面は開口が形成されており、下側傾斜直方体箱状部５０３の内部空間と、水平直方体箱状部５０４の内部空間とは連通している。水平直方体箱状部５０４は、図３に示すように、下側傾斜直方体箱状部５０３とは異なり、鉛直方向に対して傾いておらず、水平直方体箱状部５０４の側面５０４ａは、鉛直方向に平行な位置関係を有している。水平直方体箱状部５０４の長手方向の両端部には、金属製の固定部材５１７が固定されており、固定部材５１７は、ボルト５１８により裏板１２５に固定されている。水平直方体箱状部５０４の側面５０４ａ（図３の左側の側面）には、見付方向へ延びる貫通孔により構成される図示しない長孔が形成されている。この長孔を、後述の連動バー６と、図示しないウォームギヤ機構により見付方向へスライド移動する駆動板状部材５３と、を接続する接続金具５１２が、貫通している。
【００２９】
接続金具５１２の一端部は、操作部５を構成する駆動板状部材５３に図示しない連結ピンによって接続されている。接続金具５１２の他端部は、連動バー６に図示しないねじによって接続されている。駆動板状部材５３は、操作部５の滑車５１の回転に連動して見付方向へスライド移動して、これに連動して連動バー６をスライド移動させるように構成されている。駆動板状部材５３の外面を構成する上面及び下面は、図３に示すように、水平ではなく、水平に対して傾いた位置関係（図３の左上から右下へ向うように傾いた位置関係）を有している。これに対して連動バー６の外面を構成する上面及び下面は、水平の位置関係を有している。即ち、連動バーの上面に対して駆動板状部材５３の下面は、平行ではなく交差する位置関係を有している。
【００３０】
なお、図３中に示される開閉アーム７０、支持部７１、取り付け部材７２、第１突部７０１、第２突部７０２、第３突部７０３、第３係合部７０６、連動バー６及びレール６１については、後段で詳述する。
【００３１】
図４は、本実施形態に係る横辷り出し窓１の横断面図である。図４は、横辷り出し窓１を上側から見た横断面図である。
縦枠１３と縦枠１４はほぼ同一の構成を有し、縦框２３と縦框２４はほぼ同一の構成を有する。このため、対応する構成については同様の規則性を持って符号を付し、その説明を省略する。従って以下では、縦枠１３と縦枠１４と、縦框２３と縦框２４との構成のうち、縦枠１３及び縦框２３と相違する構成についてのみ説明する。
【００３２】
縦枠１３は、屋外側に配置されたアルミ等の金属からなる金属縦枠１３１と、その屋内側に配置され且つ塩化ビニル樹脂等の樹脂からなる樹脂縦枠１３２と、を含んで構成される。
【００３３】
樹脂縦枠１３２は、複数の断面矩形状の空気室１３３ａを形成する格子状部１３２ａと、格子状部１３２ａの外側に突出する複数の突出部１３２ｂと、格子状部１３２ａの内側（障子側）に位置して見付方向の他端側（図４の左側）へ向けて開口する溝１３２ｃを形成する凹状部１３２ｄと、を有する。本実施形態では、樹脂部材１３４が溝１３２ｃに係合されている。
【００３４】
樹脂縦枠１３２は、凹状部１３２ｄの屋外側に設けられたパッキン１３２ｆと、凹状部１３２ｄの内側（障子側）の先端に配置されるパッキン１３２ｇをさらに有する。これにより、縦枠１３と縦框２３との間に空気室１３３ｂが形成される。
また、金属縦枠１３１と樹脂縦枠１３２との間には、複数の突出部１３２ｂによって仕切られる複数の空気室１３３ｃが形成される。
【００３５】
縦框２３は、屋外側に配置されたアルミ等の金属からなる金属縦框２３１と、その屋内側に配置され且つ塩化ビニル樹脂等の合成樹脂からなる樹脂縦框２３２と、を含んで構成される。
金属縦框２３１は、屋外側から内側（障子側）に延出する横設部２３１ａを有する。金属縦框２３１は、横設部２３１ａの先端に配置され且つ金属縦枠１３１に当接するパッキン２３１ｂを有する。
樹脂縦框２３２には、断面矩形状の空気室２３３ａが形成される。空気室２３３ａの屋内側部分には、上述のパッキン１３２ｆ，１３２ｇが当接する。
【００３６】
縦框２３は、内側（障子側）に開口して形成される溝２３ａを有する。溝２３ａは、ガスケット１０ａを介してガラス２００の側端部を挟持する。
【００３７】
縦枠１４と縦框２４の間には、両者を連結するリンク機構３が設けられる。図４に示すように、リンク機構３は、ステー３１と、一対のアーム３２，３３と、を含んで構成される。
【００３８】
ステー３１は、上下方向に延びて設けられ、縦枠１４を構成する金属縦枠１４１の内側（障子側）の見込み面に設けられた取り付け部１４１ａに取り付け固定される。
一対のアーム３２，３３は、それぞれ、一端がステー３１に回動可能に支持され、他端が縦框２４に回動可能に支持される。一対のアーム３２，３３は、ステー３１の長さに対応して、上下方向に離隔して配置されている。
このリンク機構３により、後述する開閉機構４が駆動すると、一対のアーム３２，３３が連動して縦枠１４及び縦框２４のそれぞれに対して回動することで、障子２がスムーズ且つ確実に開閉するようになっている。
【００３９】
以上説明したように、本実施形態の横辷り出し窓１では、枠体１０、障子２及びこれらの間に複数の空気室が形成されている。即ち、本実施形態の横辷り出し窓１は、複数の空気室が形成された多層ホロー構造を有し、これにより、断熱性が高められている。
【００４０】
次に、本実施形態の横辷り出し窓１の障子２を開閉する開閉機構４について詳しく説明する。
図５に示すように、本実施形態の横辷り出し窓１は、障子２を開閉する開閉機構４を備える。
この開閉機構４は、上述の操作部５と、連動バー６と、開閉アーム機構７と、第１ロック機構８と、第２ロック機構９と、を含んで構成される。
【００４１】
操作部５の構成については、上述した通りである。なお本実施形態では、操作者が滑車５１を時計回りに回転させると、その回転方向の駆動力が左右方向の他端側（右側）へ向かう駆動力に変換される。また、操作者が滑車５１を反時計回りに回転させると、その回転方向の駆動力が左右方向の一端側（左側）へ向かう駆動力に変換される。
【００４２】
連動バー６は、下枠１２の上面に、左右方向に延設される。より詳しくは、連動バー６は、下枠１２の上面に沿って左右方向に延設されたレール６１に係合するように設置される。また、連動バー６の基端側（右側）は、上述の操作部５のウォームギヤ機構に連結される。これにより、連動バー６は、操作部５から伝達される左右方向の駆動力によって、下枠１２に沿って左右方向にスライド移動可能となっている。
【００４３】
本実施形態では、開閉アーム機構７は、図５に示されるように下枠１２及び下框２２の左右方向の略中央部に設けられている。この開閉アーム機構７は、開閉アーム７０と、支持部７１と、を含んで構成される。本実施形態の開閉アーム機構７は、開閉アーム７０を１つ備える。
【００４４】
開閉アーム７０は、長尺状の板状部材で形成される。図５に示されるように、その基端側（図５の右側）から中央部にかけては幅が略一定であり、中央部から先端側（図５の左側）に向かうに従って屋内側の側面が障子２側に傾斜して幅狭となっている。
【００４５】
また、開閉アーム７０は、その先端側が下框２２の左右方向の略中央部の下端に、回動可能に支持される。より詳しくは、下框２２の左右方向の略中央部の下端には、連動バー６に平行して左右方向に延びる係合溝部７０５を有する第３係合部７０６が設けられており、開閉アーム７０の先端側には、この係合溝部７０５に係合されて案内され且つ回動軸として機能する第３突部７０３が設けられている。これにより、開閉アーム７０は連動バー６の移動に連動して左右方向にスライド移動可能であるとともに、下框２２に対して回動可能となっている。
【００４６】
また、開閉アーム７０は、その基端側（図５の右側）が取り付け部材７２を介して連動バー６及び支持部７１に回動可能に支持される。より詳しくは、連動バー６の左右方向の略中央部の下端には、板状の取り付け部材７２が取り付け固定されている。開閉アーム７０は、該開閉アーム７０を貫通して上方及び下方に突出し、後述の第１ガイド孔７１１に挿通されるとともに取り付け部材７２の挿通孔に挿通され、回動軸として機能する第１突部７０１によって、連動バー６に回動可能に支持されるとともに、後述する支持部７１にも回動可能に支持される。
【００４７】
支持部７１は、下枠１２の左右方向略中央部の上面に、左右方向に延びて取り付け固定される。支持部７１は、長尺の板状部材の長手方向両端を同一方向（下方）に屈曲して形成された略Ｃ字状の支持台である。支持部７１の上面には、連動バー６に対して平行（左右方向）に延びる第１ガイド孔７１１が形成されている。この第１ガイド孔７１１には、上述の回動軸として機能する第１突部７０１が挿通されて係合する。
【００４８】
また、支持部７１の上面には、連動バー６に対して傾斜して延びる傾斜孔部７１２ａと、連動バー６に対して平行に延びる平行孔部７１２ｂと、が連続して形成された第２ガイド孔７１２が設けられている。傾斜孔部７１２ａは、一端側（右側）から他端側（左側）に向かうに従い、障子２側に傾斜して延びている。平行孔部７１２ｂは、第１ガイド孔７１１よりも左右方向の他端側（左側）に設けられている。
【００４９】
第２ガイド孔７１２には、開閉アーム７０から下方に突出し回動軸として機能する第２突部７０２が挿通されて係合する。これにより、第２突部７０２が第２ガイド孔７１２に案内され、連動バー６の移動に連動して回動軸としての第１突部７０１及び第３突部７０３回りに開閉アーム７０が回動可能となっている。
【００５０】
また、障子２を全閉状態から開放状態に操作する際には、第２ガイド孔７１２を構成する平行孔部７１２ｂに第２突部７０２が案内される。同時に、第１突部７０１が第１ガイド孔７１１に案内されるとともに、第３突部７０３が係合溝部７０５に案内されることで、開閉アーム７０が左右方向に移動する。これにより、障子２の開放が遅延され、後述の第１ロック機構８及び第２ロック機構９の各ロックが解除されるまでの時間が確保されている。
さらには、第２ガイド孔７１２を構成する傾斜孔部７１２ａに第２突部７０２が案内されることで、開閉アーム７０が屋外側に導かれる。これにより、上述の各突部周りに回動するようになっている。
【００５１】
また、支持部７１は、その他端側（左側）の幅（見込み方向の寸法）が一端側（右側）の幅よりも小さく形成されている。加えて、支持部７１には、第２ガイド孔７１２よりも左右方向の他端側において、他端側（左側）に向かうに従って屋内側の側面が障子２側に傾斜する傾斜部７１３が形成されている。後段で詳述するように、傾斜部７１３が形成されるとともに幅狭に形成された支持部７１の先端側は、第１ロック機構８の第１係合部８２を構成する。
【００５２】
第１ロック機構８は、開閉アーム機構７に設けられる。第１ロック機構８は、第１ロックピン８１と、第１係合部８２と、を含んで構成される。この第１ロック機構８は、障子２の閉鎖時に、第１ロックピン８１と第１係合部８２が係合することにより、障子２の開閉を規制する。
【００５３】
第１ロックピン８１は、開閉アーム７０の先端側に形成された傾斜部７１３近傍の下端から、下方に突出して設けられる。
第１係合部８２は、上述したように、傾斜部７１３が形成されるとともに幅狭に形成された支持部７１の先端側によって構成される。ここで、第１ロックピン８１は、障子２の閉鎖時において、支持部７１の先端側（傾斜部７１３）よりも屋内側に配置される。これにより、連動バー６及び開閉アーム７０が左右方向に移動することで第１ロックピン８１が第１係合部８２と係脱可能となっている。
【００５４】
第１ロック機構８は、連動バー６及び開閉アーム７０が左右方向の一端側（右側）に移動すると、第１ロックピン８１が第１係合部８２に係合する。
また、連動バー６及び開閉アーム７０が左右方向の他端側（左側）に移動すると、第１ロックピン８１が第１係合部８２から離脱する。
このように第１ロック機構８は、操作部５に連結された連動バー６の動作により、障子２の開きを規制可能となっている。
【００５５】
第２ロック機構９は、下枠１２、下框２２及び連動バー６に設けられる。図５に示すように、第２ロック機構９は、第２ロックピン９１と、第２係合部９２と、を含んで構成される。この第２ロック機構９は、障子２の閉鎖時に、第２ロックピン９１と第２係合部９２が係合することにより、障子２の開閉を規制する。
【００５６】
第２ロックピン９１は、下框２２の左右方向の他端側（左側）の下端から、下方に突出して設けられる。
第２係合部９２は、連動バー６の先端側に設けられ、障子２側に延出して基端側に屈曲する略Ｌ字状の形状に形成されている。
【００５７】
第２ロック機構９は、連動バー６が左右方向の一端側（右側）に移動すると、第２係合部９２に第２ロックピン９１が係合する。
また、連動バー６が左右方向の他端側（左側）に移動すると、第２ロックピン９１が第２係合部９２から離脱する。
このように第２ロック機構９は、操作部５に連結された連動バー６の動作により、障子２の開きを規制可能となっている。
【００５８】
本実施形態の横辷り出し窓１の動作について、図５〜図７を参照して説明する。
ここで、図５は、本実施形態に係る横辷り出し窓１の全閉状態を示す部分断面平面図である。図６は、本実施形態に係る横辷り出し窓１の半開状態を示す部分断面平面図である。図７は、本実施形態に係る横辷り出し窓１の全開状態を示す部分断面平面図である。
【００５９】
先ず、図５に示すように、障子２が閉鎖された状態において、操作者が操作部５の滑車５１を時計回りに回転させる。すると、操作部５内に設けられたウォームギヤ機構によって、その回転方向の駆動力が左右方向の他端側（左側）に向かう直線方向の駆動力に変換される。
【００６０】
次いで、基端側が操作部５のウォームギヤ機構に連結された駆動板状部材５３、接続金具５１２、及び、連動バー６が、左右方向の他端側（左側）にスライド移動する。ここで、連動バー６の初動においては、第２突部７０２が平行孔部７１２ｂに案内されることで、それと同時に、第１突部７０１が第１ガイド孔７１１に案内され、第３突部７０３が係合溝部７０５に案内される。これにより、開閉アーム７０が、左右方向の他端側（左側）にスライド移動する。即ち、連動バー６の初動においては、開閉アーム７０は回動せず、障子２は閉じたままである。
【００６１】
またこのとき、図６に示すように、連動バー６の初動において開閉アーム７０が左右方向の他端側（左側）にスライド移動することにより、第１ロックピン８１が第１係合部８２から離脱し、第１ロック機構８が解除される。また、第２ロックピン９１が第２係合部９２から離脱し、第２ロック機構９が解除される。
【００６２】
次いで、図７に示すように、さらに連動バー６が左右方向の他端側（左側）にスライド移動すると、第２突部７０２が傾斜孔部７１２ａに案内されることで、開閉アーム７０が屋外側に導かれる。これにより、開閉アーム７０が、各突部を回動軸として、下枠１２、下框２２及び連動バー６に対して回動する。以上により、障子２が開放される。
【００６３】
また、障子２が開放された状態において、操作者が操作部５の滑車５１を反時計回りに回転させる。すると、操作部５内に設けられたウォームギヤ機構によって、その回転方向の駆動力が左右方向の一端側（右側）に向かう直線方向の駆動力に変換される。
【００６４】
次いで、基端側が操作部５のウォームギヤ機構に連結された駆動板状部材５３、接続金具５１２、及び、連動バー６が、左右方向の一端側（右側）にスライド移動する。すると、第２突部７０２が傾斜孔部７１２ａに案内されることで、開閉アーム７０が各突部を回動軸として、障子２の閉じ側に、下枠１２、下框２２及び連動バー６に対して回動する。これにより、障子２が閉鎖される。
【００６５】
このとき、連動バー６の終動において、第２突部７０２が平行孔部７１２ｂに案内されることで、それと同時に、第１突部７０１が第１ガイド孔７１１に案内され、第３突部７０３が係合溝部７０５に案内される。これにより、開閉アーム７０は左右方向の一端側（右側）にスライド移動することで、第１ロックピン８１が第１係合部８２に係合し、第１ロック機構８が作動される。また、第２ロックピン９１が第２係合部９２に係合し、第２ロック機構９が作動する。
【００６６】
本実施形態によれば、以下の効果が奏される。
本実施形態では、上枠１１、下枠１２及び左右の縦枠１３、１４を有する枠体と、枠体内に開閉可能に設けられ、上框２１、下框２２及び左右の縦框２３、２４を有する障子２と、を備える建具（横辷り出し窓１）は、枠体に設けられ、回転動力源からの回転を入力する入力回転軸５１１を有する操作部５であって、入力回転軸５１１が回転されることにより、障子２が操作される操作部５を備える。入力回転軸５１１の軸心は、見込方向へ水平に指向している。
【００６７】
これにより、例えば、窓が高所に設置されている場合には、水平方向へ指向している入力回転軸５１１に滑車５１の索輪等を連結させて、滑車５１により操作部５を操作して、障子２を操作することができる。このため、軸心が水平方向へ指向することが要求される滑車５１の索輪を、入力回転軸５１１に連結する際に、ユニバーサルジョイント等を用いたり、専用の操作部を設けたりせずに済む。この結果、建具の意匠性が低下したり、取付けスペースが大きくなったり、建具における操作部品が高価になったりすることを回避することができる。
【００６８】
また本実施形態では、建具としての横辷り出し窓１は、枠体に設けられ、操作部５に連結されて枠体に沿ってスライド移動する板状の連動バー６と、先端側が下框２２に支持されるとともに、基端側が枠体に設けられた支持部７１及び連動バー６に回動可能に支持される開閉アーム７０と、操作部５の入力回転軸５１１の回転に連動してスライド移動して連動バー６をスライド移動させる駆動板状部材５３と、を備えている。そして連動バー６の上面に対して駆動板状部材５３の下面は、平行ではなく交差する位置関係を有する。これにより、駆動板状部材５３のスライド移動と一体で、連動バー６をスライド移動させる構成を容易に実現することができる。
【００６９】
なお、本発明は上記実施形態に限定されるものではなく、本発明の目的を達成できる範囲での変形、改良等は本発明に含まれる。
【００７０】
上記実施形態では、本発明を横辷り出し窓に適用したが、これに限定されない。例えば、本発明を縦辷り出し窓に適用してもよく、縦開き窓や横開き窓に適用してもよい。
【００７１】
上記実施形態では、開閉アームを左右方向の略中央に１つ設けたが、これに限定されない。例えば、開閉アームを２つ設けてもよい。
【００７２】
上記実施形態では、操作部を左右方向の右側に設けたが、これに限定されない。例えば、操作部を左側に設けてもよい。また、操作部を下枠ではなく、縦枠に設けてもよい。
【００７３】
上記実施形態では、操作部をチェーン式の操作部としたが、これに限定されない。例えば、滑車５１を取り外してハンドル式の操作部を取り付けてもよい。また、滑車５１を取り外して、操作部に電動ユニットを取り付け、電動式としてもよい。
【符号の説明】
【００７４】
１…横辷り出し窓（建具）
２…障子
５…操作部
６…連動バー
１０…枠体
１１…上枠
１２…下枠
１３，１４…縦枠
２１…上框
２２…下框
２３，２４…縦框
５３…駆動板状部材
７０…開閉アーム
５１１…入力回転軸
【図１】
0006756480.tif 000002
【図２】
0006756480.tif 000003
【図３】
0006756480.tif 000004
【図４】
0006756480.tif 000005
【図５】
0006756480.tif 000006
【図６】
0006756480.tif 000007
【図７】
0006756480.tif 000008